(57)【要約】【課題】  紛失時に携帯端末のキーロックを実施する。【解決手段】  携帯端末・カートリッジのペア関係保証用のデータ及び携帯端末のキーロック制御用のデータを記憶するメモリ部３ａ，３ｂと、前記データを使ってモニタ信号を出力する符号部４ａ，４ｂと、携帯端末・カートリッジにモニタ信号を伝送する通信部５ａ，５ｂと、前記通信部のモニタ信号と前記メモリ部のデータとでペア関係を判定するペア判定部６ａ，６ｂと、ペア関係と判定されたときにモニタ信号と前記メモリ部のデータとの照合結果を出力する照合部７ａ，７ｂと、前記通信部のモニタ信号の出力時から前記ペア判定部の判定時までの時間を計時する計時部８ａ，８ｂと、前記照合部からの照合結果と前記計時部からの計時結果に基いて携帯端末のキー操作を制御するキー制御部１０と、前記照合部からの照合結果と前記計時部からの計時結果に基いて携帯端末の紛失を警報する監視部１２とを有する。【選択図】  図１
2005354404.tif 000002
【特許請求の範囲】
【請求項１】
ペアで使用される携帯端末及びカートリッジとのペア関係を保証するためのデータ及び前記携帯端末のキーロックを制御するためのデータを記憶しているメモリ部と、
前記データを使ってモニタ信号を出力する符号部と、
前記携帯端末と前記カートリッジとの間に前記モニタ信号を電波により伝送する通信部と、
前記通信部により伝送された前記モニタ信号と前記メモリ部のデータとを照合して前記ペア関係を判定するペア判定部と、
前記ペア判定部にてペア関係があるとして判定されたことをトリガとして前記モニタ信号と前記メモリ部のデータとの照合結果を出力する照合部と、
前記通信部によるモニタ信号の出力時から前記照合部にて照合されるまでの時間を計時する計時部とを、前記携帯端末及び前記カートリッジにそれぞれ有し、
さらに、前記照合部からの照合結果と前記計時部からの計時結果に基いて当該携帯端末のキー操作を制御するキー制御部と、
前記照合部からの照合結果と前記計時部からの計時結果に基いて前記携帯端末の紛失を警報する監視部とを有することを特徴とする携帯端末の安全装置。
【請求項２】
前記符号部は、前記２種類のデータを関数処理した信号に、前記ペア関係を保証するためのデータを関数処理しない信号として混合させ、これらを前記モニタ信号として出力することを特徴とする請求項１に記載の携帯端末の安全装置。
【請求項３】
前記携帯端末の符号部は、前記カートリッジからのモニタ信号をトリガとして応答信号を前記モニタ信号として出力することを特徴とする請求項１に記載の携帯端末の安全装置。
【請求項４】
前記カートリッジの符号部は、前記携帯端末からのモニタ信号をトリガとして応答信号を前記モニタ信号として出力することを特徴とする請求項１に記載の携帯端末の安全装置。
【請求項５】
前記携帯端末に組込まれる、前記メモリ部，前記符号部及び前記照合部は、ユニット化して携帯端末に着脱可能に取付けられるものであることを特徴とする請求項１に記載の携帯端末の安全装置。
【請求項６】
前記携帯端末の、前記メモリ部，前記符号部及び前記照合部は、ユニット化して携帯端末に一体に組込まれたものであることを特徴とする請求項１に記載の携帯端末の安全装置。
【請求項７】
前記符号部，前記ペア判定部及び前記照合部の機能をプログラムにて構築し、当該プログラムを携帯端末或はカートリッジに搭載したマイコンのＣＰＵに実行させて、前記符号部及び前記照合部の機能を実行させることを特徴とする請求項１に記載の携帯端末の安全装置。
【発明の詳細な説明】
【技術分野】
【０００１】
本発明は、携帯端末、特に携帯電話機の紛失に伴う不正使用を防止する携帯端末の安全装置に関する。
【背景技術】
【０００２】
近年、携帯電話機が普及されて、多くの人が携帯電話機を使用している。この携帯電話機は、家庭用の固定電話機と異なり、常時携帯して任意の場所で使用するものである。この携帯電話機の特性に合せて、携帯電話機は、携帯可能なサイズにコンパクト化されている。このサイズは携帯に便利であるが、その反面、紛失しやすいサイズでもある。また、携帯電話機のキー操作は、機種の如何に拘らず、共通である場合が多く、携帯電話機を紛失した場合には、他人により不正使用されてしまうことがある。
【０００３】
従来、携帯電話機の紛失に伴う不正使用を防止する種々の安全対策が施されている。これらの携帯電話機の紛失に伴う安全対策としては、例えば、特許文献１及び特許文献２などに開示されている。これらの公報に開示された技術は、ユーザが意図して安全対策の機構を作動させない限り、携帯電話機は無防備の状態で紛失される可能性がある。
【０００４】
そこで、特許文献３に開示された携帯電話機による個別警報器が開発されている。この技術は、携帯電話機の本来の機能以外に、水晶発信機或は、集積回路を利用して高周波等による個別の周波数或は認証信号を送受信する回路を有しているものである。
【０００５】
特許文献３に開示された技術は、発信機から一定の時間間隔で監視等の電波を発信し、一定の距離の範囲を超えた場合に電波が届かなくなることを利用して、携帯電話機の紛失をユーザに警告するものである。したがって、この技術は、水晶発信機や集積回路を使用することにより、数多くの発信器と受信器を同時に使用することができ、発信器を所持品に組込むことができ、携帯電話機が紛失したことを、発信器が組込まれた所持品よりユーザに通報することができるという効果を奏するものである。
【特許文献１】特開２０００−３２０９８号公報
【特許文献２】特開２００２−６４６２０号公報
【特許文献３】特開２００３−１０９１５０号公報
【発明の開示】
【発明が解決しようとする課題】
【０００６】
しかしながら、特許文献３に開示された技術は、携帯電話機のキー操作を制御するものではないため、携帯電話機の動作状態をマナーモードに設定している場合などでは、ユーザが通報に気付かない場合が考えられる。この場合には、紛失した携帯電話機が他人によって不正に使用されてしまうという問題がある。
【０００７】
また、特許文献３の技術に、特許文献１及び２の技術を付加することが考えられるが、これらの技術を統合する技術が示されておらず、依然として紛失した携帯電話機の他人による不正使用を回避するには、更に改良する必要がある。
【課題を解決するための手段】
【０００８】
前記目的を達成するため、本発明に係る携帯端末の安全装置は、携帯端末の紛失をユーザに警告し、例え、その警告に気付かずに携帯端末を紛失したという現象をトリガとして、その紛失した携帯端末のキーロックを実施して不正使用を回避することを特徴とするものである。
【０００９】
具体的には、本発明に係る携帯端末の安全装置は、ペアで使用される携帯端末及びカートリッジとのペア関係を保証するためのデータ及び前記携帯端末のキーロックを制御するためのデータを記憶しているメモリ部と、前記データを使ってモニタ信号を出力する符号部と、前記携帯端末と前記カートリッジとの間に前記モニタ信号を電波により伝送する通信部と、前記通信部により伝送された前記モニタ信号と前記メモリ部のデータとを照合して前記ペア関係を判定するペア判定部と、前記ペア判定部にてペア関係があるとして判定されたことをトリガとして前記モニタ信号と前記メモリ部のデータとの照合結果を出力する照合部と、前記通信部によるモニタ信号の出力時から前記照合部にて照合されるまでの時間を計時する計時部とを、前記携帯端末及び前記カートリッジにそれぞれ有し、
【００１０】
さらに、前記照合部からの照合結果と前記計時部からの計時結果に基いて当該携帯端末のキー操作を制御するキー制御部と、前記照合部からの照合結果と前記計時部からの計時結果に基いて前記携帯端末の紛失を警報する監視部とを有することを特徴とするものである。
【００１１】
本発明においては、予めメモリ部に、ペアで使用される携帯端末及びカートリッジとのペア関係を保証するためのデータ及び携帯端末のキーロックを制御するためのデータを記憶させて置く。
【００１２】
ペアで使用される携帯端末とカートリッジとの電源をＯＮにすると、符号部は、メモリ部のデータを使ってモニタ信号を出力する。この出力を受けて、通信部は、ペアで使用される携帯端末とカートリッジとの間にモニタ信号を電波により伝送する。
【００１３】
ペア判定部は、前記通信部により伝送された前記モニタ信号と前記メモリ部のデータとを照合して前記ペア関係を判定する。照合部は、前記ペア判定部にてペア関係があるとして判定されたことをトリガとして前記モニタ信号と前記メモリ部のデータとの照合結果を出力する。また、計時部は、前記通信部によるモニタ信号の出力時から前記照合部にて照合されるまでの時間を計時する。
【００１４】
以上のように本発明によれば、電波を使い携帯端末とカートリッジとの間において、一方から送信する信号を相手方を介して受信するという方式を採用することにより、携帯端末とカートリッジとのペア関係を監視することができる。
【００１５】
さらに、本発明において、キー制御部は、照合部からの照合結果と計時部からの計時結果に基いてペア関係が崩れた場合に携帯端末のキー操作を制御することにより、携帯端末の不正使用を阻止することができる。一方、監視部は、照合部からの照合結果と計時部からの計時結果に基いて携帯端末の紛失を警報することができる。
【００１６】
しかも、キー制御部と監視部との機能を併用することができ、ユーザが警報に気付かずに携帯端末を紛失したとしても、その紛失した携帯端末の他人による不正使用から保護することができる。
【００１７】
また、本発明においては、前記符号部は、前記携帯端末のキーロックを制御するデータを関数処理（暗号化）した信号に、前記ペア関係を保証するためのデータを関数処理（暗号化）しない信号として混合させ、これらを前記モニタ信号として出力するようにしてもよいものである。
【００１８】
このように、モニタ信号に、処理の異なるデータを含ませることにより、先ず関数処理しない信号を抽出してペア関係を判定し、この段階にてペア関係になければ、キーの制御及び警報による警告を行う、いわゆる門前払いを行うことができる。さらに、関数処理がない信号によるペア関係の判定を例えば不正に潜り抜けたとしても、次に関数処理をした信号によるペア関係の判定を行うため、ペア関係を2段階に渡って確実に行うことができる。関数処理をした信号は天文学的に無限大に存在するものであり、携帯端末のペア関係の判定に必要なデータを盗用して不正に用いたとしても、実質的に他人の携帯端末を不正使用することができないことを意味し、結果として携帯端末の安全性を向上させることができるものである。
【００１９】
また、本発明においては、携帯端末の符号部は、カートリッジからのモニタ信号をトリガとして応答信号をモニタ信号として出力するようにしても良いものである。また、カートリッジの符号部は、携帯端末からのモニタ信号をトリガとして応答信号を前記モニタ信号として出力するようにしても良いものである。
【００２０】
この構成によれば、一方から送信する信号を相手方を介して受信するという方式を採用することにより、相手方からの応答がない現象を携帯端末の紛失として警告を発するため、携帯端末とカートリッジとのペア関係を確実に監視することができる。
【００２１】
また、本発明においては、携帯端末に組込まれる、メモリ部，符号部及び照合部は、ユニット化して携帯端末に着脱可能に取付けられるようにしてもよいものである。
【００２２】
この構成によれば、本発明に係る携帯端末の安全装置を、ユーザが既に使用している携帯端末に装備することができる。このことは、購入時に安全装置が装備されていない携帯端末に後付けで安全装置を装備することができることを意味し、携帯端末の紛失に伴う不正使用を確実に防止することができる。
【００２３】
また、本発明においては、携帯端末の、メモリ部，符号部及び照合部は、ユニット化して携帯端末に一体に組込むようにしてもよいものである。
【００２４】
この構成によれば、携帯端末の製造時に安全装置を携帯端末に一体に組込むことができ、ユーザは購入時から安全装置を備えた携帯端末を入手することができる。
【００２５】
また、本発明においては、符号部，ペア判定部及び照合部の機能をプログラムにて構築し、当該プログラムを携帯端末或はカートリッジに搭載したマイコンのＣＰＵに実行させて、符号部及び照合部の機能を実行させるようにしてもよいものである。
【００２６】
この構成によれば、携帯端末の構成を変更することなく、安全装置を携帯端末に組込みことができる。一方、この方式を採用することにより、既にユーザが購入している携帯端末に安全装置を組込むことができ、ユーザにとって使い慣れた携帯端末に紛失による安全対策を施して継続使用することができる。
【発明を実施するための最良の形態】
【００２７】
本発明に係る携帯端末の安全装置は、携帯端末の紛失をユーザに警告し、例え、その警告に気付かずに携帯端末を紛失したという現象をトリガとして、その紛失した携帯端末のキーロックを実施して不正使用を回避することを特徴とするものである。
【００２８】
（実施形態１）図２に示すように、本発明の実施形態に係る携帯端末の安全装置は、ペアで使用される携帯端末１とカートリッジ２とから構成されている。この携帯端末は、携帯電話機，ポケットパーソナルコンピュータ（ＰＣ），携帯ゲーム機器などのように、ユーザが携帯して任意の場所で使用可能なサイズの機器を含む。以下の説明では、携帯端末として携帯電話機を例にとって説明するが、携帯端末は、携帯電話機に限られるものではない。
【００２９】
図１（ａ），（ｂ）に示すように、本発明の実施形態に係る携帯端末の安全装置は基本的構成として、ペアで使用される携帯端末１及びカートリッジ２とのペア関係を保証するためのデータ及び前記携帯端末１のキーロックを制御するためのデータを記憶しているメモリ部３ａ，３ｂと、前記データを使ってモニタ信号を出力する符号部４ａ，４ｂと、前記携帯端末１と前記カートリッジ３との間に前記モニタ信号を電波により伝送する通信部５ａ，５ｂと、前記通信部５ａ，５ｂにより伝送された前記モニタ信号と前記メモリ部３ａ，３ｂのデータとを照合して前記ペア関係を判定するペア判定部６ａ，６ｂと、前記ペア判定部６ａ，６ｂにてペア関係があるとして判定されたことをトリガとして前記モニタ信号と前記メモリ部３ａ，３ｂのデータとの照合結果を出力する照合部７ａ，７ｂと、前記通信部５ａ，５ｂによるモニタ信号の出力時から前記照合部７ａ，７ｂにて照合されるまでの時間を計時する計時部８ａ，８ｂとを有している。
【００３０】
また、前記符号部４ａ，４ｂと前記照合部７ａ，７ｂとは、共通した関数処理によるデータ、例えば携帯電話機に固有なデータとユーザが設定したデータとを暗号処理したデータを予め記憶している。そして、前記符号部４ａ，４ｂは、この暗号化処理方法を用いて、メモリ部３ａ，３ｂに記憶されたペア関係を保証するためのデータ及び携帯電話機１のキーロックを制御するためのデータを用いてモニタ信号を出力するようになっている。また、前記照合部７ａ，７ｂは、暗号処理方法を用いて、受信したモニタ信号を復号することにより、携帯電話機１のキーロックを制御するためのデータ（信号）を出力するようになっている。
【００３１】
前記メモリ部３ａと、前記符号部４ａと、前記通信部５ａと、前記ペア判定部６ａと、前記照合部７ａと、前記計時部８ａとは、ペアで使用される一方の携帯電話機１に組込まれている。これらの部品を携帯電話機１に組込むには図２に示すように、これらの部品をユニット化してアダプタ９に組付け、このアダプタ９を携帯電話機１に着脱可能に取付ける。或は、これらの部品をユニット化して携帯電話機１に一体に内蔵するようにしてもよいものである。
【００３２】
前記メモリ部３ｂと、前記符号部４ｂと、前記通信部５ｂと、前記ペア判定部６ｂと、前記照合部７ｂと、前記計時部８ｂとは、ペアで使用される他方のカートリッジ２に組込まれている。このカートリッジ２は、ユーザにとって携帯可能なサイズ、例えば汎用のポケットベルのサイズ程度に形成されており、携帯電話機１を使用する際に身に付けて携帯するようになっている。
【００３３】
さらに、携帯電話機１は、前記照合部７ａからの照合結果と前記計時部８ａからの計時結果に基いて携帯端末１のキー操作を制御するキー制御部１０を備えている。そして、キー制御部１０は、携帯電話機１のキーロック機構１１に対するキーロック制御信号の入力を制御することにより、携帯電話機１のキーロックを制御する。
【００３４】
ところで、携帯電話機の安全性を高めるために、携帯電話機１は、他人に不正使用されないようにキーロック機構１１を内蔵しており、ユーザの操作によりキーロック制御信号をキーロック機構１１に入力し、携帯電話機１のキーを解除又はロックするというキーロック制御を行うようになっている。
【００３５】
本発明は、携帯電話機１に内蔵されているキーロック機構１１に、ユーザによる操作指令に相当するキーロック制御信号をキー制御部１０から出力し、その信号によりキーロック機構１１を制御するものである。
【００３６】
カートリッジ２は、前記照合部７ｂからの照合結果と前記計時部８ｂからの計時結果に基いて携帯電話機１の紛失を警報する監視部１２を備えている。そして、監視部１２は、ブザー１３により携帯電話機１の紛失をユーザに警告するようになっている。なお、ブザー１３の警報音に加えて振動により携帯電話機１の紛失を警告するようにしてもよく、監視部１２からの出力信号にてユーザに携帯電話機１の紛失を警告する方式は、ユーザの好みに合せて種々変更することが可能である。
【００３７】
また、携帯電話機１及びカートリッジ２に組込む符号部４ａ，４ｂは、メモリ３ａ，３ｂに記憶されたデータを関数処理して暗号化したデータ、例えば携帯電話機に固有なデータとユーザが設定したデータとを暗号処理したデータを記憶しており、この関数式を使ってメモリ部３ａ，３ｂのデータを関数処理し、その信号に、前記ペア関係を保証するためのデータを関数処理しない信号として混合させ、これらを前記モニタ信号として出力するようになっている。
【００３８】
また、携帯電話機１の符号部４ａは、所定の周期、例えば３０秒の時間間隔にてモニタ信号を作成する、或はカートリッジ２からのモニタ信号を受信する毎にモニタ信号を作成し、このモニタ信号（応答信号）を通信部５ａからカートリッジ２に向けて送信している。なお、前記所定の周期は３０秒間隔に限られるものではなく、この周期は、携帯電話機１或はカートリッジ２の紛失を検出するために必要な時間に設定されるものである。
【００３９】
また、カートリッジ２の符号部４ｂは、所定の周期、例えば３０秒の時間間隔にてモニタ信号を作成する、或は携帯電話機１からのモニタ信号を受信する毎にモニタ信号を作成し、このモニタ信号（応答信号）を通信部５ｂから携帯電話機１に向けて送信している。なお、前記所定の周期は３０秒間隔に限られるものではなく、この周期は、携帯電話機１或はカートリッジ２の紛失を検出するために必要な時間に設定されるものである。
【００４０】
本発明の実施形態では、以上の構成により、電波を使い携帯電話機１とカートリッジ２との間において、一方から送信する信号（モニタ信号）を相手方を介して応答信号として受信するという方式を採用することにより、携帯電話機とカートリッジとのペア関係を監視することができる。
【００４１】
次に、本発明の実施形態に係る携帯電話機の安全装置の動作について図３及び図４を用いて説明する。
【００４２】
先ず、携帯電話機１の紛失を監視するための動作について図３に基いて説明する。携帯電話機１とカートリッジ２とをペア関係で使用するために、ペア関係を保証するためのデータと、携帯電話機１のキーロックを制御するためのデータを設定する。ここで、ペア関係を保証するためのデータとして携帯電話機１の電話番号を設定する。また、乱数を用いて、携帯電話機１のキーロックを制御するためのデータを作成する。
【００４３】
この場合、乱数を用いてキーロック制御信号を作成すると、携帯電話機相互間でキーロック制御信号が一致する可能性があるが、ペア関係を保証するためのデータを併用しているために、携帯電話機相互間にてペア関係保証信号及びキーロック制御信号の双方が一致する可能性は極めて小さくなる。この場合、携帯電話機１の電話番号は、個々の携帯電話機に特有のデータであり、一致することは全くないため、ペア関係を保証するためのデータとして携帯電話機１の電話番号を用いることにより、携帯電話機相互間にてペア関係保証信号及びキーロック制御信号の双方が一致する可能性を完全に回避することができることとなる。なお、ペア関係を保証するためのデータとしては、携帯電話機１の電話番号以外にも、生年月日のデータ，アドレスデータ，乱数により作成したデータなど各種のデータを用いることができるものである。
【００４４】
予め、ペア関係を保証するためのデータとキーロック制御信号との設定が終了した時点でこれらのデータを２つのメモリ部３ａ、３ｂに共通に記憶させて置く。
【００４５】
次に、携帯電話機１及びカートリッジ２を使用するために、これらの電源を投入すると、この電源投入に基いて、携帯電話機１の符号部４ａは、メモリ部３ａに記憶されているデータを読み出し、このデータを暗号キーとして用い、これらのデータを関数処理して暗号化する。
【００４６】
具体的に説明すると、携帯電話機の符合部４ａは、メモリ部３ａから、ペア関係を保証するデータ（以下、ペア保証信号という）と、携帯電話機１のキーロックを制御するためのデータ（以下、キーロック制御信号という）とを読み出す。そして、キーロック制御信号は携帯電話機１が不正に使用されないための重要なデータであるから、符号部４ａは、暗号処理方法を用いてキーロック制御信号を関数処理して暗号化する。また、符号部４ａは、ペア保証信号を暗号処理せずに、このデータを前記暗号処理化したキーロック制御信号に混合させて、これらの信号をモニタ信号（応答信号）として通信部５ａに出力する。
【００４７】
通信部５ａは、符号部４ａからモニタ信号を受取ると、アンテナ１５から電波に乗せてカートリッジ２に向けて発信する。前記符号部４ａによるモニタ信号の作成は、所定の周期、例えば３０秒の時間間隔にて行われ、通信部５ａからカートリッジ２に向けて送信されている。なお、前記所定の周期は３０秒間隔に限られるものではなく、この周期は、携帯電話機１或はカートリッジ２の紛失を検出するために必要な時間に設定されるものである。
【００４８】
ユーザは、携帯電話機１とカートリッジ２とをペアで携帯している。携帯電話機１とカートリッジ２との間における電波の到達距離は、ユーザから携帯電話機１までの距離が凡そ１〜３ｍ位に設定され、この範囲を超えた場合に電波が携帯電話機１とカートリッジ２との間で届かないように設定されている。
【００４９】
一方、カートリッジ２側では、携帯電話機１から送信されるモニタ信号をアンテナ１４に通して通信部５ｂが受信する（ステップＳ１）。
【００５０】
カートリッジ２の符号部４ｂは、メモリ部３ｂのデータを用いてモニタ信号（応答信号）を作成し、このモニタ信号を携帯電話機１に向けて通信部５ｂから送信する。
【００５１】
携帯電話機１からのモニタ信号を受信した場合には（ステップＳ１，はい）、通信部５ｂからモニタ信号がペア判定部６ｂに入力する。このモニタ信号の入力をトリガとして、ペア判定部６ｂは、メモリ部３ｂからペア保証信号を読み出し、この読み出したペア保証信号と、モニタ信号に含まれている携帯電話機１から送信されるペア保証信号とを比較する。ペア判定部６ｂは、前記２つのペア保証信号が一致している場合にペア関係にあり、不一致の場合にペア関係にないものとして判定する（ステップＳ２）。
【００５２】
次に、ペア判定部６ｂがペア関係にあるとして判定した場合について説明する。ペア関係にあるとして判定した場合に（ステップＳ２，はい）、ペア判定部６ｂは、通信部５ｂが受信したモニタ信号に加えてペア判定信号を照合部７ｂに出力する。照合部７ｂは、ペア判定部６ｂから出力されるペア判定信号をトリガとして（ステップＳ３，はい）、記憶している暗号処理方法を用いてモニタ信号に関数処理を施してキーロック制御信号を復号する。さらに、照合部７ｂは、メモリ部３ｂに記憶されているキーロック制御信号を読み出し。この読み出したキーロック制御信号と、復号したモニタ信号に含まれている携帯電話機１からのキーロック制御信号とを比較する。照合部７ｂは、前記２つのキーロック制御信号が一致している場合にキーロック解除信号を出力し、不一致の場合にキーロック信号を出力する。
【００５３】
また、携帯電話機１からのモニタ信号を通信部５ｂが受信すると、そのモニタ信号を受信したことがカートリッジ２の符号部４ｂに伝送される。この信号をトリガとして、カートリッジ２の符合部４ｂは、メモリ部３ｂから、ペア関係を保証するデータ（ペア保証信号）と、携帯電話機１のキーロックを制御するためのデータ（キーロック制御信号）とを読み出す。そして、キーロック制御信号は携帯電話機１が不正に使用されないための重要なデータであるから、符号部４ｂは、暗号処理方法を用いてキーロック制御信号を関数処理して暗号化する。また、符号部４ｂは、ペア保証信号を暗号処理せずに、このデータを前記暗号処理化したキーロック制御信号に混合させて、これらの信号を応答信号（モニタ信号）として通信部５ｂに出力する。通信部５ｂは、符号部４ｂから応答信号（モニタ信号）を受取ると、アンテナ１４から電波に乗せて携帯電話機１に向けて発信する。これと同時に、符号部４ｂからカートリッジ２の計時部８ｂに計時開始の指令が出力される。
【００５４】
計時部８ｂは、符号部４ｂから応答信号が発信されたことを示す計時開始指令に基いて計時を開始する。
【００５５】
カートリッジ２の監視部１２は、照合部７ｂからの信号をトリガとして、計時部８ｂと照合部７ｂとからの信号に基いて、照合部７ｂによるキーロック制御信号の照合が設定時間内に行われたか否かを監視する（ステップＳ４）。この設定時間は、携帯電話機１或はカートリッジ２の紛失を検出するために必要な時間に設定されるものである。
【００５６】
そして、照合部７ｂによるキーロック制御信号の照合が設定時間内に行われた場合に（ステップＳ４，はい）、監視部１２は、照合部７ｂから出力されるキーロック解除信号に基いてブザー１３の作動を停止状態に保持する。また、照合部７ｂによるキーロック制御信号の照合が前記設定時間内に行われない場合（ステップＳ４，いいえ）、或は照合部７ｂがキーロック信号を出力した場合（ステップＳ４，はい）、監視部１２は、ブザー１３によりユーザに携帯電話機１が紛失したことを警報する（ステップＳ５）。
【００５７】
したがって、ユーザはブザー１３による警報を受けて携帯電話機１を紛失したことが知らされることとなる。これにより、携帯電話機１を紛失したときに必要な措置を採ることができる。
【００５８】
ステップＳ２及びステップＳ３の「いいえ」の場合には、監視部１２は、ペア判定部６ｂからの信号を受けて、携帯電話機１とカートリッジ２とが正常なペア関係に組合されて使用されていないという警告をユーザに出力するようにしても良いものである。またブザーに代えて、液晶表示により携帯電話機の紛失を警報するようにしてもよいものである。
【００５９】
以上説明した動作は、携帯電話機１を紛失した場合である。一方、携帯電話機１側では、カートリッジ２からのモニタ信号としての応答信号に基いて携帯電話機１のキーを制御するための動作が行われる。この動作について、図４に基いて説明する。
【００６０】
具体的に説明すると、カートリッジ２の符号部４ｂは、上述したように携帯電話機１からのモニタ信号を受信した際（ステップＳ１，はい）、或は携帯電話機１からのモニタ信号が入力せずにモニタ信号を出力すべき時間に達した場合にモニタ信号（或は応答信号）を出力する。
【００６１】
すなわち、カートリッジ２の符号部４ｂは、メモリ部３ｂから、ペア関係を保証するデータ（ペア保証信号）と、携帯電話機１のキーロックを制御するためのデータ（キーロック制御信号）とを読み出す。そして、キーロック制御信号は携帯電話機１が不正に使用されないための重要なデータであるから、符号部４ｂは、暗号処理方法を用いてキーロック制御信号を関数処理して暗号化する。また、符号部４ｂは、ペア保証信号を暗号処理せずに、このデータを前記暗号処理化したキーロック制御信号に混合させて、これらの信号をモニタ信号として通信部５ｂに出力する。通信部５ｂは、符号部４ｂからモニタ信号を受取ると、アンテナ１４から電波に乗せて携帯電話機１に向けて発信する。前記符号部４ｂによるモニタ信号の作成は、所定の周期、例えば３０秒の時間間隔にて行われ、通信部５ｂからカートリッジ２に向けて送信されている。なお、前記所定の周期は３０秒間隔に限られるものではなく、この周期は、携帯電話機１或はカートリッジ２の紛失を検出するために必要な時間に設定されるものである。
【００６２】
携帯電話機１側では、カートリッジ２から送信されるモニタ信号をアンテナ１５に通して通信部５ａが受信する（ステップＳ１０）。通信部５ａからモニタ信号がペア判定部６ａに入力すると（ステップＳ１０，はい）、ペア判定部６ａは、メモリ部３ａからペア保証信号を読み出し、この読み出したペア保証信号と、モニタ信号に含まれているカートリッジ２から送信されるペア保証信号とを比較する（ステップＳ１１）。ペア判定部６ａは、前記２つのペア保証信号が一致している場合にペア関係にあり（ステップＳ１１，はい）、不一致の場合にペア関係にないもの（ステップＳ１１，いいえ）として判定する。
【００６３】
次に、ペア判定部６ａがペア関係にあるとして判定した場合について説明する。ペア関係にあるとして判定した場合に（ステップＳ１１，はい）、ペア判定部６ａは、通信部５ａが受信したモニタ信号に加えてペア判定信号を照合部７ａに出力する。照合部７ａは、ペア判定部６ａから出力されるペア判定信号をトリガとして（ステップＳ１２，はい）、記憶している暗号処理方法を用いてモニタ信号に関数処理を施してキーロック制御信号を復号する。さらに、照合部７ａは、メモリ部３ａに記憶されているキーロック制御信号を読み出し。この読み出したキーロック制御信号と、復号したモニタ信号に含まれているカートリッジ２からのキーロック制御信号とを比較する。照合部７ｂは、前記２つのキーロック制御信号が一致している場合にキーロック解除信号を出力し、不一致の場合にキーロック信号を出力する。
【００６４】
また、カートリッジ２からのモニタ信号を通信部５ａが受信すると、そのモニタ信号を受信したことが携帯電話機１の符号部４ａに伝送される。この信号をトリガとして、携帯電話機１の符合部４ａは、メモリ部３ａから、ペア関係を保証するデータ（ペア保証信号）と、携帯電話機１のキーロックを制御するためのデータ（キーロック制御信号）とを読み出す。そして、符号部４ａは、暗号処理方法を用いてキーロック制御信号を関数処理して暗号化する。また、符号部４ａは、ペア保証信号を暗号処理せずに、このデータを前記暗号処理化したキーロック制御信号に混合させて、これらの信号を応答信号（モニタ信号）として通信部５ａに出力する。通信部５ａは、符号部４ａから応答信号（モニタ信号）を受取ると、アンテナ１５ａから電波に乗せてカートリッジ２に向けて発信する。これと同時に、符号部４ａから携帯電話機１の計時部８ａに計時開始の指令が出力される。
【００６５】
計時部８ａは、符号部４ａから応答信号が発信されたことを示す計時開始指令に基いて計時を開始する。
【００６６】
携帯電話機１のキーロック制御部１０は、照合部７ａからの信号をトリガとして、計時部８ａと照合部７ａとからの信号に基いて、照合部７ａによるキーロック制御信号の照合が設定時間内に行われたか否かを監視する（ステップＳ１３）。この設定時間は、携帯電話機１或はカートリッジ２の紛失を検出するために必要な時間、例えば３０秒に設定されるものである。
【００６７】
そして、照合部７ａによるキーロック制御信号の照合が設定時間内に行われた場合に（ステップＳ１３，はい）、キーロック制御部１０は、照合部７ａから出力されるキーロック解除信号を携帯電話機１のキーロック機構１１に入力する。すると、キーロック機構１１は、携帯電話機１のキーを解除する（ステップＳ１４）。したがって、ユーザはキー操作により携帯電話機１を使用することができる。
【００６８】
また、照合部７ａによるキーロック制御信号の照合が前記設定時間内に行われない場合（ステップＳ１３，いいえ）、照合部７ａからロック解除信号が出力されないため、ロック状態が維持される。携帯電話機１のキーがロックされていない初期状態において、照合部７ａがキーロック信号を出力した場合（ステップＳ１２，いいえ）、キー制御部１０は、キーロック信号をキーロック機構１１に入力する。すると、キーロック機構１１は、携帯電話機１のキーをロックする。したがって、携帯電話機１のキーは使用不可能な状態となり、紛失した携帯電話機１が不正に使用されることはない。
【００６９】
なお、キー制御部１０からキーロック信号がキーロック機構１１に入力されたことを検出した場合（ステップＳ１３，いいえ）、或はステップＳ１１のいいえ，ステップＳ１２のいいえの場合をキー制御部１０に検出させ、その検出信号に基いて携帯電話機１側でユーザにカートリッジ２が紛失されたことを警告するようにしてもよいものである。なお、ステップＳ１０の「いいえ」の場合には、カートリッジ２の電源が投入されていない場合などが考えられる。
【００７０】
以上のように本発明の実施形態によれば、携帯電話機１或はカートリッジ２の紛失をユーザに知らせるため、ユーザは、携帯電話機１或はカートリッジ２の紛失に気が付いてこの事態に有効かつ適切に対処することができる。さらに、携帯電話機１を紛失した際には、予めユーザが何らキーロックの操作をすることなく、携帯電話機１を紛失した時点で携帯電話機１のキーロックが行われるため、紛失した携帯電話機１が不正に使用されことを防止することができる。
【００７１】
なお、携帯端末が携帯電話機である場合について説明したが、携帯電話機に代えて、携帯端末として、ポケットパーソナルコンピュータ（ＰＣ），携帯ゲーム機器などのように、ユーザが携帯して任意の場所で使用可能なサイズの機器を使用した場合にも、これらの機器を紛失したときに、それぞれの機器に備えたキーがロックされることとなり、これらの機器としての機能を発揮することができなくなり、不正に使用されることを防止することができるものである。
【００７２】
（実施形態２）以上説明した実施形態では、携帯電話機１に備えられているマイコンのＣＰＵを使用せずに、独自に構成した回路により携帯電話機１の安全装置を構成する場合について説明したが、これに限られるものではない。すなわち、携帯電話機１に備えられているマイコンのＣＰＵ１６を使用することにより、携帯電話機１の安全装置を構築するようにしても良いものである。
【００７３】
この場合、携帯電話機１は、相手方の携帯電話機との間に通信を行うために無線Ｉ／Ｆ（無線インターフェース）１７を備えているため、この無線Ｉ／Ｆ１７を安全装置の通信部５ａとして流用する。また、携帯電話機１の無線Ｉ／Ｆと同様の機能を有する無線Ｉ／Ｆをカートリッジ２の通信部５ｂとしてカートリッジ２に搭載する。また、携帯電話機１に装備されたタイマを安全装置の計時部８ａに流用する。また携帯電話機１に装備されたメモリの空いているメモリ領域を安全装置のメモリ部３ａとして流用する。
【００７４】
また、カートリッジ２にマイコンのＣＰＵ１８，タイマ、メモリを搭載し、このタイマを安全装置の計時部８ｂに、このメモリを安全装置のメモリ部３ｂとして用いる。
【００７５】
そして、携帯電話機１の符号部４ａ及び照合部７ａの機能をプログラムにて構築し、当該プログラムを携帯電話機１のＣＰＵ１６に実行させて、前記符号部４ａ及び前記照合部７ａの機能を実行させる。この場合、カートリッジ２の符号部４ｂ及び照合部７ｂの機能をプログラムにて構築し、当該プログラムをカートリッジ２のＣＰＵ１８に実行させて、前記符号部４ｂ及び前記照合部７ｂの機能を実行させる。
【００７６】
本実施形態においては、キー制御部１１は、携帯電話機１に装備されたシリアルＩ／Ｆ（シルアルインターフェース）を通して、キーロック解除信号或はキーロック信号を携帯電話機１のキーロック機構１１に出力する。
【００７７】
その他の動作は、前記実施形態と同様である。
【産業上の利用可能性】
【００７８】
以上説明したように本発明によれば、携帯端末の紛失をユーザに警告し、例え、その警告に気付かずに携帯端末を紛失したという現象をトリガとして、その紛失した携帯端末のキーロックを実施して不正使用を回避することができるという効果を奏するものである。
【図面の簡単な説明】
【００７９】
【図１】本発明の一実施形態に係る携帯端末の安全装置を示すブロック図であり、（ａ）は、携帯電話機側の構成を示すブロック図、（ｂ）は、カートリッジ側の構成を示すブロック図である。
【図２】本発明の実施形態にペアで使用する携帯電話機とカートリッジとの関係を示す概観図である。
【図３】本発明の実施形態において、携帯電話機の紛失を監視するためのフローチャートである。
【図４】本発明の実施形態において、携帯電話機のキーロックを行うためのフローチャートである。
【図５】本発明の他の実施形態に係る携帯電話機の安全装置を示すブロック図である。
【符号の説明】
【００８０】
１  携帯電話機（携帯端末）
２  カートリッジ
３ａ、３ｂ  メモリ部
４ａ，４ｂ  符号部
５ａ、５ｂ  通信部
６ａ，６ｂ  ペア判定部
７ａ，７ｂ  照合部
８ａ，８ｂ  計時部
９  アダプタ
１０  キー制御部
１１  キーロック機構
１２  監視部
【図１】
2005354404.tif 000003
【図２】
2005354404.tif 000004
【図３】
2005354404.tif 000005
【図４】
2005354404.tif 000006
【図５】
2005354404.tif 000007